(57)【要約】  【課題】  揺れによる離脱や揺れの増幅を抑制しつつ、間仕切りとして着脱自在にするための技術を提供する。  【解決手段】それぞれ隣接する遊技機の間に設置された間柱の延びる方向および該間柱から離れる方向のなす面に沿って拡がる板状の仕切部材と、前記間柱に沿った所定長さにわたって前記仕切部材を表裏両面から挟んで保持する位置関係で、それぞれ前記本体部から突出する一対の突出部が形成されてなる保持部材と、を備え、前記仕切部材は、前記保持部材側に位置する端部に１以上の切欠きが形成されており、前記保持部材は、前記仕切部材における前記切欠きそれぞれに対応する部位にて一対の前記突出部の間を連結するように設けられ、該切欠きに嵌合して前記仕切部材を支持する棒状の支持部と、少なくともいずれかの前記突出部の表側から前記仕切部材の位置する内側にまで到達して、該仕切部材と直接または間接的に接触する接触部と、を備える。【選択図】図１
2022001100.tif 000002
【特許請求の範囲】
【請求項１】
それぞれ隣接する遊技機の間に設置された間柱の延びる方向、および、該間柱から離れる方向のなす面に沿って拡がる板状の仕切部材と、
前記間柱に沿って延びる本体部にて該間柱に取り付けられるとともに、前記間柱に沿った所定長さにわたって前記仕切部材を表裏両面から挟んで保持する位置関係で、それぞれ前記本体部から突出する一対の突出部が形成されてなる保持部材と、を備えており、
前記仕切部材は、
前記保持部材側に位置する端部に１以上の切欠きが形成されており、
前記保持部材は、
前記仕切部材における前記切欠きそれぞれに対応する部位にて一対の前記突出部の間を連結するように設けられ、該切欠きに嵌合して前記仕切部材を支持する棒状の支持部と、
少なくともいずれかの前記突出部の表側から前記仕切部材の位置する内側にまで到達して、該仕切部材と直接または間接的に接触する接触部と、を備える、
間仕切り。
【請求項２】
前記仕切部材において、
前記切欠きは、前記保持部材側に位置する端部領域から延びる第１切欠きと、該第１切欠きから上方に延びる第２切欠きと、からなり、
前記保持部材において、
前記接触部は、いずれかの前記突出部のうち、前記第１切欠き、または、該第１切欠きと前記第２切欠きとの連結部分に対応する領域を表側から内側へと貫通する突起として設けられ、該突起が前記第１切欠きまたは前記連結部分の内壁と接触する、
請求項１に記載の間仕切り。
【請求項３】
前記保持部材において、
前記接触部は、いずれかの前記突出部において、前記仕切部材の前記切欠きに対応する領域以外の領域をその表面から内側まで貫通する突起として設けられ、該突起が前記仕切部材の表裏一方の面と接触する、
請求項１に記載の間仕切り。
【請求項４】
前記仕切部材のなす面と交差する方向に沿って該仕切部材と重ねて配置された板状の副仕切部材と、
前記仕切部材および前記副仕切部材の間に介在して一方に対して他方を、前記間柱から離れる方向へとスライド可能に保持するスライド部材と、を備える、
請求項１から３のいずれか一項に記載の間仕切り。
【請求項５】
前記副仕切部材は、その下端における先端側の領域が、前記間柱から離れるほど上方へ向けて傾斜する傾斜面となっている、
請求項４に記載の間仕切り。
【請求項６】
前記仕切部材は、前記保持部材側に位置する端部側、かつ下端側の領域に、当該仕切部材のなす面に沿って、前記間柱から離れる方向へと拡がる板状の補強部材が取り付けられている、
請求項１から５のいずれかに記載の間仕切り。
【発明の詳細な説明】
【技術分野】
【０００１】
本発明は、それぞれ隣接する遊技機の間に設けられる間仕切りに関する。
【背景技術】
【０００２】
遊技場においては、昨今の感染症への対策として遊技者による飛沫の拡散などを防止するために、隣接する遊技機の間（いわゆる間柱）に板状の間仕切りを配置することが求められるようになっている。この種の間仕切りとしては、隣接する遊技機の遊技者からのたばこの煙や遊技機からの音などを遮るためのものが種々提案されている（特許文献１、２参照）。
【先行技術文献】
【特許文献】
【０００３】
【特許文献１】特許第６２３５２４１号公報
【特許文献２】特許第６２４３６２８号公報
【発明の概要】
【発明が解決しようとする課題】
【０００４】
間仕切りとしては、感染症への対策という観点でいうと、遊技機を修理したり入れ替えたりする際の作業を阻害しないようにすることはもちろん、消毒・清掃作業を容易ならしめるべく、着脱自在とすることが望ましい。
【０００５】
ただ、間柱から突出する間仕切りの構造上、間柱から離れた先端の領域ほど揺れが大きくなりやすいことから、これを着脱自在にしてしまうと、間仕切りが間柱に対して変位しやすくなり、僅かな揺れで離脱する、揺れが増幅されやすい、といった懸念がある。
【０００６】
本発明は、このような課題を解決するためになされたものであり、その目的は、揺れによる離脱や揺れの増幅を抑制しつつ、間仕切りとして着脱自在にするための技術を提供することである。
【課題を解決するための手段】
【０００７】
上記課題を解決するため、第１局面の間仕切りは、それぞれ隣接する遊技機の間に設置された間柱の延びる方向、および、該間柱から離れる方向のなす面に沿って拡がる板状の仕切部材と、前記間柱に沿って延びる本体部にて該間柱に取り付けられるとともに、前記間柱に沿った所定長さにわたって前記仕切部材を表裏両面から挟んで保持する位置関係で、それぞれ前記本体部から突出する一対の突出部が形成されてなる保持部材と、を備えており、前記仕切部材は、前記保持部材側に位置する端部に１以上の切欠きが形成されており、前記保持部材は、前記仕切部材における前記切欠きそれぞれに対応する部位にて一対の前記突出部の間を連結するように設けられ、該切欠きに嵌合して前記仕切部材を支持する棒状の支持部と、少なくともいずれかの前記突出部の表側から前記仕切部材の位置する内側にまで到達して、該仕切部材と直接または間接的に接触する接触部と、を備える、といった間仕切りである。
【０００８】
この局面の間仕切りは、仕切部材を保持部材における一対の突出部に挟まれるように位置させ、仕切部材の切欠きと保持部材の支持部とを嵌合させたうえで仕切部材に接触部を接触させることにより、間仕切り（実際は仕切部材）の間柱への取付が実現される。
【０００９】
こうして取り付けられている状態からは、仕切部材について切欠きと保持部材の支持部との嵌合、接触部との接触を解くだけで、容易に仕切部材を間柱から着脱させることができる。そして、仕切部材が取り付けられている状態では、保持部材の接触部が仕切部材と接触することで、仕切部材の変位が規制されているため、これにより、仕切部材が揺れにより不用意に離脱したり、揺れが増幅されたり、といったことを抑制することができる。
【００１０】
また、上記局面は、以下に示す第２局面のようにしてもよい。
【００１１】
第２局面の間仕切りは、前記仕切部材において、前記切欠きは、前記保持部材側に位置する端部領域から延びる第１切欠きと、該第１切欠きから上方に延びる第２切欠きと、からなり、前記保持部材において、前記接触部は、いずれかの前記突出部のうち、前記第１切欠き、または、該第１切欠きと前記第２切欠きとの連結部分に対応する領域を表側から内側へと貫通する突起として設けられ、該突起が前記第１切欠きまたは前記連結部分の内壁と接触する、というものである。
【００１２】
この局面の間仕切りであれば、仕切部材を保持部材の支持部で保持させるに際し、第１切欠きに支持部を通した後、仕切部材を自重で変位させるだけで、第２切欠きの奥まで支持部を通して保持させることができる。そして、保持部材の接触部を、仕切部材の第１切欠き、または、第１切欠きと第２切欠きとの連結部分にまで到達させ、その切欠きとしての内壁に接触させることで、少なくとも仕切部材の上下方向への変位を規制することができる。
【００１３】
また、上記第１局面は、以下に示す第３局面のようにしてもよい。
【００１４】
第３局面の間仕切りは、前記保持部材において、前記接触部は、いずれかの前記突出部において、前記仕切部材の前記切欠きに対応する領域以外の領域をその表面から内側まで貫通する突起として設けられ、該突起が前記仕切部材の表裏一方の面と接触する、というものである。
【００１５】
この局面の間仕切りであれば、保持部材の接触部を、仕切部材の表裏一方の面にまで到達させ、その面に接触させることで、少なくとも仕切部材の水平方向（仕切部材のなす面と交差する方向）への変位を規制することができる。
【００１６】
また、上記各局面は、以下に示す第４局面のようにしてもよい。
【００１７】
第４局面の間仕切りは、前記仕切部材のなす面と交差する方向に沿って該仕切部材と重ねて配置された板状の副仕切部材と、前記仕切部材および前記副仕切部材の間に介在して一方に対して他方を、前記間柱から離れる方向へとスライド可能に保持するスライド部材と、を備える。
【００１８】
この局面の間仕切りであれば、副仕切部材を仕切部材に対してスライドさせることにより、間柱からの間仕切りとしての突出量を変更することができるようになる。これにより、遊技者の離着席時に突出量を最小にする一方、遊技者による遊技中に突出量を最大にする、といった状況に応じた突出量とすることが可能となる。
【００１９】
また、この局面では、以下に示す第５局面のようにしてもよい。
【００２０】
第５局面の間仕切りは、前記副仕切部材は、その下端における先端側の領域が、前記間柱から離れるほど上方へ向けて傾斜する傾斜面となっている。
【００２１】
この局面の間仕切りであれば、副仕切部材の下端に傾斜面が形成されていることにより、副仕切部材への意図しない衝突などによる押圧力を受け流しやすくなる。さらに、副仕切部材が一定量突出している状態においては、下端の傾斜面が押圧力における一部の方向を変換し、副仕切部材をその突出量が小さくなるようスライドさせることも可能となる。こうして、間仕切りへの衝撃を緩和して損傷を防ぐことも可能となる。
【００２２】
また、上記各局面は、以下に示す第６局面のようにしてもよい。
【００２３】
第６局面の間仕切りは、前記仕切部材は、前記保持部材側に位置する端部側、かつ下端側の領域に、当該仕切部材のなす面に沿って、前記間柱から離れる方向へと拡がる板状の補強部材が取り付けられている、である。
【００２４】
この局面の間仕切りであれば、仕切部材の下端側に設けられた補強部材により仕切部材としての剛性を高めることができるため、仕切部材の揺れや揺れによる損傷を抑制することができる。この効果は、間仕切りの間柱からの突出量が大きい、重量がある、といった場合に顕著となる。
【図面の簡単な説明】
【００２５】
【図１】本発明における間仕切りが取り付けられた状態を示す斜視図
【図２】本発明における間仕切りの組立工程を示す斜視図
【図３】本発明における保持部材の要部を示す三面図
【図４】本発明における間仕切りの副支持部材をスライドさせた状態を示す斜視図
【図５】本発明における間仕切りの副支持部材を最小の突出量となるまでスライドさせた状態を示す三面図
【図６】本発明における間仕切りの副支持部材を最大の突出量となるまでスライドさせた状態を示す三面図
【図７】別の実施形態における仕切部材、副仕切部材およびスライド部材を示す斜視図
【図８】別の実施形態における仕切部材へのスライド部材の取付状態を示す斜視図
【図９】別の実施形態における仕切部材へのスライド部材の取付状態（突出量「小」）を示す三面図
【図１０】別の実施形態における仕切部材へのスライド部材の取付状態（突出量「大」）を示す三面図
【図１１】別の実施形態における間仕切りを示す斜視図
【図１２】別の実施形態における保持部材の要部を示す斜視図
【発明を実施するための形態】
【００２６】
以下に本発明の実施形態を図面と共に説明する。
（１）全体構成
間仕切り１は、図１、図２に示すように、それぞれ隣接する遊技機１００の間に設置された間柱（または間柱に対応する部材）２００に設けられるものであり、板状の仕切部材１０と、仕切部材１０を保持する保持部材２０と、仕切部材１０と重ねて配置された板状の副仕切部材３０と、仕切部材１０と副仕切部材３０との間に介在するスライド部材４０と、を備える。
【００２７】
仕切部材１０は、間柱２００の延びる方向（鉛直方向；以降「上下方向」ともいう）、および、間柱２００から離れる方向（水平方向）のなす面に沿って矩形（本実施形態では鉛直方向に長い長方形）に拡がる板状の部材である。
【００２８】
この仕切部材１０には、保持部材２０側に位置する端部（後端部）に１以上の切欠き１１が形成されている。本実施形態では、上下方向に間隔を空けた２か所に切欠き１１が形成されている。各切欠き１１は、保持部材２０側の端部領域（後端）から先端に向けて延びる第１切欠き１１１と、第１切欠き１１１から上方に延びる第２切欠き１１３と、からなる。
【００２９】
保持部材２０は、間柱２００へと取り付けるための板状の部材として間柱２００に沿って延びる本体部２１と、仕切部材１０を表裏両面から挟んで保持する一対の突出部２３と、を備える。この一対の突出部２３は、本体部２１のうち、間柱２００に沿った所定長さ（本実施形態では、本体部２１の上端側から下端側に至る長さ）にわたって仕切部材１０を挟む位置関係で設けられた板状の突起である。
【００３０】
この保持部材２０は、図３に示すように、仕切部材１０の切欠き１１に嵌合して仕切部材１０を下方から支持する棒状の支持部２５と、いずれかの突出部２３の表側から仕切部材１０の位置する内側にまで到達して、仕切部材１０と直接または間接的に接触する接触部２７と、を備えている。支持部２５は、仕切部材１０の切欠き１１それぞれに対応する位置において、一対の突出部２３の間を連結するように設けられている。
【００３１】
また、本実施形態において、接触部２７は、いずれかの突出部２３において、仕切部材１０の切欠き１１に対応する領域以外の領域をその表面から内側まで貫通するネジ状の突起として設けられ、この突起が仕切部材１０の表裏一方の面と直接接触して押圧する。
【００３２】
この構成では、仕切部材１０を保持部材２０の支持部２５で保持させるに際し、第１切欠き１１１に支持部２５を通した後、仕切部材１０を自重で下方へ変位させるだけで、第２切欠き１１３の奥まで支持部２５を通して保持させることができる（図２の矢印参照）。
【００３３】
副仕切部材３０は、仕切部材１０のなす面と交差する方向に沿って仕切部材１０と重ねて配置された板状の部材であり、仕切部材１０よりも先端側に延びた矩形となっている。この副仕切部材３０は、その下端における先端側の領域が間柱２００から離れるほど、上方へ向けて傾斜する傾斜面３１となっている。
【００３４】
スライド部材４０は、仕切部材１０と副仕切部材３０との間に介在して一方に対して他方を間柱２００から離れる方向へとスライド可能に保持する。ここでは、図４に示すように、副仕切部材３０が仕切部材１０に対してスライド可能となっている（同図の矢印参照）。
【００３５】
本実施形態では、仕切部材１０の上端側および下端側それぞれにおいて副仕切部材３０との間にスライド部材４０が介在しており、それぞれが、仕切部材１０側に固定されるレール４１と、このレール４１に沿って摺動する部材として副仕切部材３０側に固定される摺動片４３と、からなる。
【００３６】
このスライド部材４０は、レール４１として仕切部材１０の先端から後端にまで到達する長さのものが採用されており、これにより、レール４１のうち、保持部材２０側の端部側かつ下端側の領域に位置する部位が、仕切部材１０が振動したり屈曲したりといった事態を抑制する補強部材としても機能している。
【００３７】
なお、この構成において、副仕切部材３０を間柱２００からの間仕切り１としての突出量が最小になるまでスライドさせた状態および最大になるまでスライドさせた状態それぞれの三面図（正面図、側面図、平面図）を図５、図６に示す。
（２）変形例
以上、本発明の実施の形態について説明したが、本発明は、上記実施形態に何ら限定されることはなく、本発明の技術的範囲に属する限り種々の形態をとり得ることはいうまでもない。
【００３８】
例えば、上記実形態では、スライド部材４０それぞれのレール４１が仕切部材１０の先端から後端にまで到達する長さとなっている構成を例示した。しかし、図７に示すように、このスライド部材４０を仕切部材１０の先端から後端に至る一定範囲にのみ位置する長さのものとし、このスライド部材４０を仕切部材１０の後端側に取付けたり（同図（ａ））、仕切部材１０の先端側に取付けたり（同図（ｂ））することで、副仕切部材３０における最大のスライド量および収容時の間仕切り１としての突出量を任意に変更できるように構成してもよい。この構成においては、図８に示すように、仕切部材１０に、スライド部材４０を後端側に取付けるための複数のネジ穴１３、および、先端側に取付けるための複数のネジ穴１５を設け、スライド部材４０を選択的にネジ止めする構成とすることが考えられる。
【００３９】
なお、この変形例において、副仕切部材３０を間柱２００からの間仕切り１としての突出量が最小になるまでスライドさせた状態および最大になるまでスライドさせた状態それぞれの三面図を図９、図１０に示す。
【００４０】
また、上記実施形態では、保持部材２０の接触部２７が、いずれかの突出部２３において、仕切部材１０の切欠き１１に対応する領域以外の領域をその表面から内側まで貫通する突起として設けられ、この突起が仕切部材１９の表裏一方の面と接触する、というように構成されたものを例示した。しかし、この接触部２７は、図１１、図１２に示すように、いずれかの突出部２３のうち、第１切欠き１１１または連結部分１１５に対応する領域を表側から内側へと貫通する突起として設けられている、というように構成してもよい。この構成では、切欠き１１としての内壁に接触部２７が接触する（または、接触可能な状態となる）。
【００４１】
なお、接触部２７としては、突出部２３のうち、切欠き１１に対応する領域以外の領域を貫通する第１接触部、および、第１切欠き１１１または連結部分１１５に対応する領域を表側から内側へと貫通する第２接触部、の両方を設けた構成としてもよい。
【００４２】
また、上記実施形態では、スライド部材４０のレール４１が仕切部材１０の補強部材としても機能する部材として設けられた構成を例示した。しかし、このレール４１として仕切部材１０の後端側にまで到達しないものを採用した場合などには、保持部材２０側の端部側かつ下端側の領域から仕切部材１０のなす面に沿って拡がる部材として、そのための補強部材を設けた構成としてもよい。
【００４３】
具体的な例としては、例えば、後端から先端（間柱２００から離れる方向）へと延びる板状の部材を補強部材として設けたり、仕切部材１０の下端を水平方向に折り曲げてこうして形成されるフランジ状の部位を補強部材としたり、といったことが考えられる。
【００４４】
また、上記実施形態では、接触部２７が突出部２３をその表面から内側まで貫通するネジ状の突起として設けられたものを例示した。しかし、この接触部２７としては、突出部２３の一部領域を表裏方向に凹ませるように押圧し、この領域を介して仕切部材１０と間接的に接触する、または、突出部２３の一部領域を切り欠いて表裏方向に変位可能とした部位を押圧し、この部位を介して仕切部材１０と間接的に接触する、というように構成してもよい。
（３）作用効果
上記実施形態の間仕切り１は、仕切部材１０を保持部材２０における一対の突出部２３に挟まれるように位置させ、仕切部材１０の切欠き１１と保持部材２０の支持部２５とを嵌合させたうえで仕切部材１０に接触部２７を接触させることにより、間仕切り１（実際は仕切部材１０）の間柱２００への取付が実現される。
【００４５】
こうして取り付けられている状態からは、仕切部材１０について切欠き１１と保持部材２０の支持部２５との嵌合、接触部２７との接触を解くだけで、容易に仕切部材１０を間柱２００から着脱させることができる。そして、仕切部材１０が取り付けられている状態では、保持部材２０の接触部２７が仕切部材１０と接触することで、仕切部材１０の変位が規制されているため、これにより、仕切部材１０が揺れにより不用意に離脱したり、揺れが増幅されたり、といったことを抑制することができる。
【００４６】
また、上記実施形態では、仕切部材１０を保持部材２０の支持部２５で保持させるに際し、第１切欠き１１１に支持部２５を通してから自重で変位させるだけで、第２切欠き１１３の奥まで支持部２５を通して保持させることができる（図２の矢印参照）。
【００４７】
ここで、接触部２７が、いずれかの突出部２３において仕切部材１０の切欠き１１に対応する領域以外の領域をその表面から内側まで貫通する突起として設けられた構成であれば（図１〜図６参照）、この接触部２７を、仕切部材１０の表裏一方の面にまで到達させ、その面に接触させることで、少なくとも仕切部材１０の水平方向（仕切部材１０のなす面と交差する方向）への変位を規制することができる。
【００４８】
また、保持部材２０の接触部２７を、仕切部材１０の第１切欠き１１１または連結部分１１５にまで到達させる構成であれば（図１１、図１２参照）、その切欠き１１としての内壁に接触部２７を接触させることで、少なくとも仕切部材１０の上下方向への変位を規制することができる。
【００４９】
また、上記実施形態では、副仕切部材３０を仕切部材１０に対してスライドさせることにより、間柱２００からの間仕切り１としての突出量を任意に変更することができる。これにより、遊技者の離着席時に突出量を最小にする一方、遊技者による遊技中に突出量を最大にする、といった状況に応じた突出量とすることが可能となる。
【００５０】
また、上記実施形態では、副仕切部材３０の下端に傾斜面３１が形成されていることにより、副仕切部材３０への意図しない衝突などによる押圧力を受け流しやすくなる。さらに、副仕切部材３０が一定量突出している状態においては、下端の傾斜面３１が押圧力における一部の方向を変換し、副仕切部材３０をその突出量が小さくなるようスライドさせることも可能となる。こうして、間仕切り１への衝撃を緩和して損傷を防ぐことも可能となる。
【００５１】
また、上記実施形態では、仕切部材１０の下端側に設けられた補強部材（として機能するレール４１）により仕切部材１０としての剛性を高めることができるため、仕切部材１０の揺れや揺れによる損傷を抑制することができる。この効果は、間仕切り１としての間柱２００からの突出量が大きい、重量がある、といった場合に顕著となる。
【符号の説明】
【００５２】
１…仕切り、１０…仕切部材、１１…切欠き、１１１…第１切欠き、１１３…第２切欠き、１１５…連結部分、１３…ネジ穴、１５…ネジ穴、１９…仕切部材、２０…保持部材、２１…本体部、２３…突出部、２５…支持部、２７…接触部、３０…副仕切部材、３１…傾斜面、４０…スライド部材、４１…レール、４３…摺動片、１００…遊技機、２００…間柱。
【図１】
2022001100.tif 000003
【図２】
2022001100.tif 000004
【図３】
2022001100.tif 000005
【図４】
2022001100.tif 000006
【図５】
2022001100.tif 000007
【図６】
2022001100.tif 000008
【図７】
2022001100.tif 000009
【図８】
2022001100.tif 000010
【図９】
2022001100.tif 000011
【図１０】
2022001100.tif 000012
【図１１】
2022001100.tif 000013
【図１２】
2022001100.tif 000014